(57)【特許請求の範囲】
【請求項１】
開閉可能な開口部を有し、該開口部が閉じられることにより文具の収納空間を形成するケース本体と、
前記開口部を開閉するファスナーと、を備え、
前記ケース本体は、前記開口部が閉じられた状態で側面視において五角形を成す五角筒状に形成されており、前記五角形の頂部部分に前記開口部を有することを特徴とする文具ケース。
【請求項２】
前記ファスナーは、前記ケース本体の前記頂部部分から前記五角筒の軸方向に延出する延出部を有し、該延出部の先端は前記ケース本体の前記頂部部分とは反対側の底部に固定されていることを特徴とする請求項１の文具ケース。
【請求項３】
前記ケース本体は、前記五角筒の周方向の壁を成す周壁と、前記収納空間を確保するために前記周壁の前記五角筒の軸方向に関する端部に設けられた襠部材とを有し、
前記襠部材は、前記五角形に形成された側壁と、前記開口部が閉じられる際に折り曲げられる折曲部を有することを特徴とする請求項１または２に記載の文具ケース。
【請求項４】
前記側壁は、前記襠部材の中央に設けられ、前記折曲部は、前記側壁の両側に設けられていることを特徴とする請求項３に記載の文具ケース。
【発明の詳細な説明】
【技術分野】
【０００１】
本発明は、文具ケースに関し、特に、ファスナーにより開閉可能な開口部を有する筒状の文具ケースに関する。
【背景技術】
【０００２】
筆記具などの文具を収納する文具ケースとして、様々なものが提案され、販売されている。一般的な文具ケースとしては、例えば、ファスナーにより開閉可能な開口部を有する円筒状のものがある。
特許文献１には、円筒状のペンケースであって、ファスナーのみで構成されたものが開示されている。
【先行技術文献】
【特許文献】
【０００３】
【特許文献１】実開平６−８４９２３号公報
【発明の開示】
【発明が解決しようとする課題】
【０００４】
特許文献１に開示のペンケースのように円筒状のものは、机などに置いたときに容易に転がるため、作業の邪魔になることがある。
また、転がることがないように三角柱状に形成された文具ケースも市場に流通しているが、三角柱状のものは文具の収納空間が小さい。
さらに、特許文献１のペンケースは開口した際の文具の取り出し口が小さく不便である。
【０００５】
本発明は、上述のような実情に鑑みてなされたものであり、容易に転がらず、文具の収納空間が大きく、開口した際に収納した文具が取り出し易い文具ケースを提供することをその目的とする。
【課題を解決するための手段】
【０００６】
上記課題を解決するために、本発明の第１の技術手段は、文具ケースであって、開閉可能な開口部を有し、該開口部が閉じられることにより文具の収納空間を形成するケース本体と、前記開口部を開閉するファスナーと、を備え、前記ケース本体が、前記開口部が閉じられた状態で側面視において五角形を成す五角筒状に形成されており、前記五角形の頂部部分に前記開口部を有することを特徴としたものである。
【０００７】
本発明の第２の技術手段は、第１の技術手段において、前記ファスナーが、前記ケース本体の前記頂部部分から前記五角筒の軸方向に延出する延出部を有し、該延出部の先端が前記ケース本体の前記頂部部分とは反対側の底部に固定されていることを特徴としたものである。
【０００８】
本発明の第３の技術手段は、第１または第２の技術手段において、前記ケース本体が、前記五角筒の周方向の壁を成す周壁と、前記収納空間を確保するために前記周壁の前記五角筒の軸方向に関する端部に設けられた襠部材とを有し、前記襠部材が、前記五角形に形成された側壁と、前記開口部が閉じられる際に折り曲げられる折曲部を有することを特徴としたものである。
【０００９】
本発明の第４の技術手段は、前記側壁が、前記襠部材の中央に設けられ、前記折曲部が、前記側壁の両側に設けられていることを特徴としたものである。
【発明の効果】
【００１０】
本発明によれば、容易に転がらず、文具の収納空間が大きく、開口した際に収納した文具が取り出し易いケースを提供することができる。
【図面の簡単な説明】
【００１１】
【図１】本発明の文具ケースの一例を示す斜視図である。
【図２】開口部が開けられた状態の図１の文具ケースの斜視図である。
【図３】図１の文具ケースの側面図である。
【図４】図３とは反対側の図１の文具ケースの側面図である。
【図５】開口部が開けられた状態の図１の文具ケースの側面図である。
【発明を実施するための形態】
【００１２】
以下、図面を参照しながら、本発明の文具ケースの好適な実施形態について説明する。なお、以下の発明において、異なる図面においても同じ符号を付した構成は同様のものであるとして、その説明を省略する場合がある。
【００１３】
図１及び図２は、本発明の文具ケースの一例を示す斜視図であり、図１は後述の開口部を閉じた状態のものを示し、図２は開いた状態のものを示している。図３及び図４はそれぞれ、図１の文具ケースの左側側面図及び右側側面図であり、図５は同右側側面図であり、また、図３及び図４は開口部を閉じた状態のものを示し、図５は開いた状態のものを示している。
【００１４】
図１の文具ケース１は、ケース本体２と、ファスナー３とを備える。
ケース本体２は、図２に示すように、ファスナー３により開閉可能な開口部２ａを有し、該開口部２ａが閉じられることにより文具の収納空間をケース本体２の内部に形成するものである。そして、このケース本体２は、図３及び図４に示すように、開口部２ａが閉じられた状態で、側面視において略正五角形の形状を成す正五角筒状に形成されている。ケース本体２において、開口部２ａは上記正五角形の上側の１つの頂部部分に設けられている。ケース本体２を上述のような構成にすることにより、文具ケース１は容易に転がらないようになっており、また、大きな文具収納空間を確保している。
【００１５】
なお、本願明細書においては、開口部２ａが設けられている側を「上側」とし、ファスナー３の後述の延出部３ｃが設けられている側を「左側」として説明する。また、ファスナー３の延出部３ｃを下側としたときにファスナー３の延在方向に対して右側を「前側」として説明する。
【００１６】
ファスナー３は、ケース本体２の開口部２ａを開閉するものであり、ファスナー３の略全長に亘って形成されたエレメント３ａと、該エレメント３ａを噛合・分離させるスライダー３ｂとを有する。このファスナー３は、文具ケース１の軸方向／長手方向すなわち左右方向に関する開口部２ａの長さより長く形成されており、これによりケース本体２の上部から前方に延出する延出部３ｃを有する。この延出部３ｃにより、文具ケース１は開口部２ａから大きく開くことができる。
【００１７】
ファスナー３の延出部３ｃは、半円弧を描くように曲げられて、その先端がケース本体２の底部／下部に固定されており、取っ手として機能することがきる。延出部３ｃは、ケース本体２の後述の底壁２５と左側側壁２１ａとの間に挟まれた状態で縫い付けられて固定されている。
【００１８】
ケース本体２についてさらに説明する。
ケース本体２は、該ケース本体２が成す正五角筒の周方向の側壁を成す周壁２ｂと、文具の収納空間を確保するために周壁２ｂの上記正五角筒の軸方向の端部に設けられた左側襠部材２１及び右側襠部材２２とを有する。周壁２ｂ、左側襠部材２１及び右側襠部材２２は、表生地と裏生地とが貼り合わされたものであり、表生地は例えば牛表革、裏生地は例えばスエードタイプの人口革を用いることができる。表生地及び裏生地は他の素材であってもよい。周壁２ｂ、左側襠部材２１及び右側襠部材２２の表生地のコバはへり返しの手法を用いて加工されている。
【００１９】
周壁２ｂは、前方上側周壁２３、前方下側周壁２４、底壁２５、後方下側周壁２６及び後方上側周壁２７が記載した順に連なったものであり、前方上側周壁２３の前方下側周壁２４とは反対側の長辺部２３ａと、後方上側周壁２７の後方下側周壁２６とは反対側の長辺部２７ａとにファスナー３が縫い付けられている。前方上側周壁２３、前方下側周壁２４、底壁２５、後方下側周壁２６及び後方上側周壁２７はそれぞれ表生地と裏生地の間に芯材が入れられた長方形平板である。
【００２０】
左側襠部材２１及び右側襠部材２２はそれぞれ、正五角形状に形成された左側側壁２１ａ及び右側側壁２２ａと、これら左側側壁２１ａ及び右側側壁２２ａの両側に設けられた折曲部２１ｂ，２２ｂとを有する。折曲部２１ｂ，２２ｂは、開口部２ａが閉じられる際に折り曲げられるものである。左側側壁２１ａ及び右側側壁２２ａと折曲部２１ｂ，２２ｂとは連続しており、左側側壁２１ａ及び右側側壁２２ａは、底壁２５に縫い付けられており、折曲部２１ｂ，２２ｂは、前方上側周壁２３、前方下側周壁２４、後方下側周壁２６及び後方上側周壁２７に縫い付けられている。
【００２１】
文具ケース１は、左側側壁２１ａ及び右側側壁２２ａだけでなく、上述の折曲部２１ｂ，２２ｂも設けられているため、開口部２ａを開けた状態で多少傾けても文具が落下することがない。
また、文具ケース１では、左側側壁２１ａ及び右側側壁２２ａが前方上側周壁２３、前方下側周壁２４、後方下側周壁２６及び後方上側周壁２７と直接連結されているのではなく、折曲部２１ｂ，２２ｂを介して連結されているため、開口部２ａから大きく開くことができるため、容易に文具を取り出したり仕舞ったりすることができる。
【００２２】
図５に示すように、右側襠部材２２において、右側側壁２２ａは中央に位置し、図示は省略するが左側襠部材２１においても左側側壁２１ａは中央に位置する。そのため、折曲部２１ｂ，２２ｂの幅が短いので、開口部２ａが閉じられるときの折曲部２１ｂ，２２ｂの折り曲げ長さが短いため文具の収納空間への折曲部２１ｂ，２２ｂの影響が少ない。
【００２３】
また、右側襠部材２２の折曲部２２ｂには、所望の形態で折り曲げられるよう表生地と裏生地の間に三角平板状の芯材２２ｃが入れられている。図示は省略するが、右側襠部材２２の折曲部２２ｂにも同様に三角平板状の芯材が入れられている。
【符号の説明】
【００２４】
１…文具ケース、２…ケース本体、２ａ…開口部、２ｂ…周壁、３…ファスナー、３ａ…エレメント、３ｂ…スライダー、３ｃ…延出部、２１…左側襠部材、２１ａ…左側側壁、２１ｂ…折曲部、２２…右側襠部材、２２ａ…右側側壁、２２ｂ…折曲部、２２ｃ…芯材、２３…前方上側周壁、２３ａ…長辺部、２４…前方下側周壁、２５…底壁、２６…後方下側周壁、２７…後方上側周壁、２７ａ…長辺部。
【図１】
0006369760.tif 000002
【図２】
0006369760.tif 000003
【図３】
0006369760.tif 000004
【図４】
0006369760.tif 000005
【図５】
0006369760.tif 000006